(57)【要約】【課題】画像表示装置群を構成する画像表示装置の配置位置に応じて、画像を表示することができる画像表示装置等を提供する。【解決手段】画像表示装置ｕ１は、行列状に複数配置されることで画像表示装置群Ｇ１を構成する。画像表示装置ｕ１は、画像表示装置群Ｇ１における画像表示装置ｕ１の配置位置を検出する位置検出回路１０と、位置検出回路１０にて検出した配置位置に基づき、画像表示装置ｕ１に入力された映像情報の中から画像表示装置ｕ１にて表示すべき映像情報を決定する映像情報決定回路２０と、複数の表示素子３２を有し、映像情報決定回路２０にて決定した映像情報を表示する表示回路３０とを備える。【選択図】図４
2020034742.tif 000002
【特許請求の範囲】
【請求項１】
行列状に複数配置されることで画像表示装置群を構成する画像表示装置であって、
前記画像表示装置群における前記画像表示装置の配置位置を検出する位置検出回路と、
前記位置検出回路にて検出した前記配置位置に基づき、前記画像表示装置に入力された映像情報の中から前記画像表示装置にて表示すべき映像情報を決定する映像情報決定回路と、
複数の表示素子を有し、前記映像情報決定回路にて決定した映像情報を表示する表示回路と
を備える画像表示装置。
【請求項２】
前記映像情報決定回路は、
前記位置検出回路にて検出した前記配置位置に基づき、前記画像表示装置に入力された映像情報の中から一部の映像情報を抽出する抽出回路と、
前記一部の映像情報と前記画像表示装置の画素数に関する情報とに基づいて、前記一部の映像情報をスケール調整して出力するリサイズ回路と
を備える請求項１に記載の画像表示装置。
【請求項３】
前記位置検出回路は、
前記画像表示装置に隣接する一方の画像表示装置および他方の画像表示装置のうち一方の画像表示装置の配置順を取得する配置順取得部と、
前記配置順取得部にて取得した前記配置順をカウントアップし、カウントアップした配置順を前記画像表示装置の自身の配置順として前記他方の画像表示装置に出力する配置順出力部と、
前記画像表示装置の配置方向における全個数を取得する個数取得部と
を備える請求項１または２に記載の画像表示装置。
【請求項４】
前記表示回路は、さらに、
前記複数の表示素子を駆動するドライバ回路を備える
請求項１〜３のいずれか１項に記載の画像表示装置。
【請求項５】
前記映像情報決定回路は、
前記映像情報に含まれる動画情報および静止画情報を記憶する記憶回路と、
前記記憶回路に記憶された前記静止画情報および前記画像表示装置に新たに入力された映像情報に含まれる動画情報を合成する合成回路と
を備える請求項１〜４のいずれか１項に記載の画像表示装置。
【請求項６】
さらに、隣接する前記画像表示装置同士を着脱可能に接続するためのコネクタを備える
請求項１〜５のいずれか１項に記載の画像表示装置。
【請求項７】
請求項１〜６のいずれか１項に記載の画像表示装置が行列状に複数配置されることで構成された画像表示装置群と、
前記画像表示装置群にて表示すべき映像情報を前記複数配置された画像表示装置のうちの１つの画像表示装置に送信する映像送信装置と
を備える画像表示システム。
【請求項８】
前記１つの画像表示装置は、前記映像送信装置から送信された前記映像情報と同じ映像情報を、隣接する他の画像表示装置に転送する
請求項７に記載の画像表示システム。
【発明の詳細な説明】
【技術分野】
【０００１】
本開示は、複数の表示素子を有する画像表示装置、および、画像表示システムに関する。
【背景技術】
【０００２】
特許文献１は、従来の画像表示装置（ユニットパネル）および画像表示システムを開示している。この画像表示装置は、複数配置されることで画像表示装置群を構成している。画像表示装置のそれぞれにはケーブルが接続されている。各画像表示装置は各ケーブルを介して映像送信装置（画像処理コントローラ）に接続されている。特許文献１の画像表示システムでは、映像送信装置が、画像表示装置群を構成する画像表示装置の配置位置を認識し、認識した配置位置に基づいて各画像表示装置に表示させるべき映像情報を決定している。そして映像送信装置が、上記映像情報を、各ケーブルを介して各画像表示装置に送信することで、各画像表示装置に画像を表示させている。
【先行技術文献】
【特許文献】
【０００３】
【特許文献１】特開２００７−２７９４９２号公報
【発明の概要】
【発明が解決しようとする課題】
【０００４】
本開示は、画像表示装置群を構成する画像表示装置の配置位置に応じて、画像を表示する画像表示装置等を提供する。
【課題を解決するための手段】
【０００５】
本開示における画像表示装置は、行列状に複数配置されることで画像表示装置群を構成する画像表示装置であって、前記画像表示装置群における前記画像表示装置の配置位置を検出する位置検出回路と、前記位置検出回路にて検出した前記配置位置に基づき、前記画像表示装置に入力された映像情報の中から前記画像表示装置にて表示すべき映像情報を決定する映像情報決定回路と、複数の表示素子を有し、前記映像情報決定回路にて決定した映像情報を表示する表示回路とを備える。
【０００６】
本開示における画像表示システムは、上記画像表示装置が行列状に複数配置されることで構成された画像表示装置群と、前記画像表示装置群にて表示すべき映像情報を前記複数配置された画像表示装置のうちの１つの画像表示装置に送信する映像送信装置とを備える。
【発明の効果】
【０００７】
本開示の画像表示装置等は、画像表示装置群を構成する画像表示装置の配置位置に応じて、画像を表示するのに有効である。
【図面の簡単な説明】
【０００８】
【図１】比較例の画像表示システムを示す模式図
【図２】実施の形態における画像表示システムを示す模式図
【図３】実施の形態における画像表示装置によって構成される画像表示装置群を示す図
【図４】実施の形態における画像表示装置のブロック構成図
【図５】実施の形態における位置検出回路のブロック構成図
【図６】実施の形態における位置検出回路の動作を示すフローチャート
【図７】実施の形態の変形例における画像表示装置群を示す模式図
【図８】実施の形態の変形例における映像情報決定回路のブロック構成図
【図９】実施の形態の変形例の画像表示装置に入力される映像情報を示す模式図
【発明を実施するための形態】
【０００９】
（本開示に至る経緯）
まず、比較例の画像表示システムについて説明する。図１は、比較例の画像表示システム１０１を示す模式図である。
【００１０】
比較例の画像表示システム１０１は、画像表示装置群Ｇ１０１と、映像送信装置１５０とを備える。画像表示装置群Ｇ１０１は、複数の画像表示装置１ａａが行列状に複数配置され、組み合わされることで構成されている。各画像表示装置１ａａは、各画像表示装置１ａａに設けられた各ケーブル１４０を介して、映像送信装置１５０に接続されている。各画像表示装置１ａａは、画像を表示するための複数の発光素子を有している。
【００１１】
映像送信装置１５０は、画像表示装置群Ｇ１０１の全体に表示すべき映像情報を分割し、分割した一部の映像情報を各画像表示装置１ａａに送信する。各画像表示装置１ａａは、映像送信装置１５０から送信された一部の映像情報を表示する。これにより、映像送信装置１５０は、画像表示装置群Ｇ１０１に全体の映像を表示する。
【００１２】
しかしながら、比較例の画像表示システム１０１では、画像表示装置群Ｇ１を構成する各画像表示装置１ａａの配置位置（配置されている位置）が設計により予め決められている。そのため、例えば画像表示装置群Ｇ１０１の大きさが変更され、全体の中における画像表示装置１ａａの配置位置が変更となった場合、映像送信装置１５０と画像表示装置１ａａとの配線を変更したり、各画像表示装置１ａａに表示させる映像のスケールを変更したりするなどの手間が発生する。
【００１３】
そこで本開示は、画像表示装置群を構成する画像表示装置の配置位置に応じて、簡易に画像を表示することができる画像表示装置等を提供する。
【００１４】
（実施の形態）
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、当業者が本開示を十分に理解するために添付図面および以下の説明を提供するのであって、これらによって特許請求の範囲に記載の主題を限定することを意図するものではない。
【００１６】
［１．画像表示システムの構成］
本実施の形態における画像表示システム１について、図２および図３を参照しながら説明する。図２は、実施の形態における画像表示システム１を示す模式図である。
【００１７】
図２に示すように、画像表示システム１は、画像表示装置群Ｇ１と、映像送信装置５０とを備えている。
【００１８】
画像表示装置群Ｇ１は、複数の画像表示装置が行列状に配置されることで構成される。具体的には、画像表示装置群Ｇ１は、複数の画像表示装置ａａ〜ａｊ、ｂａ〜ｂｊ、ｃａ〜ｃｊ、ｄａ〜ｄｊ、ｅａ〜ｅｊ、ｆａ〜ｆｊが６行１０列に組み合わされることで形成されている。本実施の形態では、画像表示装置群Ｇ１が全体の画像表示パネルに相当し、画像表示装置のそれぞれが、画像表示パネルの一部を構成する画像表示ユニットに相当する。以下、画像表示装置ａａ〜ａｊ、ｂａ〜ｂｊ、ｃａ〜ｃｊ、ｄａ〜ｄｊ、ｅａ〜ｅｊ、ｆａ〜ｆｊの一部または全部を指して画像表示装置ｕ１と呼ぶ場合がある。
【００１９】
画像表示装置群Ｇ１には、画像表示システム１として表示すべき全体映像が表示され、各画像表示装置ｕ１には、全体映像のうちの一部の映像が表示される。
【００２０】
画像表示装置群Ｇ１および画像表示装置ｕ１のそれぞれは、映像表示側から見た場合に矩形状の形状を有している。画像表示装置群Ｇ１の縦横比は、各画像表示装置ｕ１の縦横比と実質的に同じである。なお、各画像表示装置ｕ１を自由に組み合わせ、画像表示装置群Ｇ１を各画像表示装置ｕ１と異なる形状にして、映像を表示することも可能である。
【００２１】
画像表示装置ｕ１は、基板、および、基板に実装された複数の表示素子を有している。表示素子は、ＬＥＤ（Ｌｉｇｈｔ  Ｅｍｉｔｔｉｎｇ  Ｄｉｏｄｅ）素子などの発光素子である。画像表示装置ｕ１は、各表示素子から赤（Ｒ）、緑（Ｇ）または青（Ｂ）などの光を出射することで、映像を表示する。
【００２２】
各画像表示装置ｕ１は、隣接する画像表示装置ｕ１同士を着脱可能に接続するためのコネクタ６０を有している。例えば画像表示装置ｅｉは、コネクタ６０を用いて、隣接する他の画像表示装置ｅｈ、ｅｊ、ｄｉ、ｆｉに接続されている。画像表示装置ｅｉは、各コネクタ６０を介して画像表示装置ｅｈ、ｅｊ、ｄｉ、ｆｉと、映像情報を含む各種情報の受け渡し行う。
【００２３】
映像送信装置５０は、ＨＤＭＩ（登録商標）規格に準拠した１本のケーブル４０を介して１つの画像表示装置（例えば画像表示装置ａａ）に接続されている。これにより、画像表示装置群Ｇ１に表示すべき全体の映像情報が、映像送信装置５０から画像表示装置ａａに送信される。なお、ケーブル４０はＨＤＭＩ規格に準拠するものに限らず、例えば次世代インターフェース規格であるＶ−ｂｙ−Ｏｎｅ（登録商標）規格に準拠したケーブルで、画像表示装置に接続されていてもよい。
【００２４】
画像表示装置ａａに送信された映像情報は、図２の破線矢印で示すように、画像表示装置ａａを起点として画像表示装置ａｂ、ａｃ、ａｄ、ａｅ、ａｆ、ａｇ、ａｈ、ａｉ、ａｊの順で転送される。次に、各画像表示装置ａａ〜ａｊに入力された映像情報は、図２の実線矢印に示すように、列ａ〜ｊごとに下方に向かって転送される。例えばａ列では、映像情報は、画像表示装置ａａを起点として画像表示装置ｂａ、ｃａ、ｄａ、ｅａ、ｆａ、ｇａ、ｉａ、ｊａの順で転送される。この映像情報は、他の画像表示装置についても同様に、列ｂ〜ｊごとに下方に向かって順に転送される。映像送信装置５０から画像表示装置ａａに送信される映像情報、および、各画像表示装置ａａ〜ｆｊ間にて転送される映像情報は、同じ内容の映像情報である。
【００２５】
なお、上記では、ａ行目にて映像情報を転送した後に、列ａ〜ｊごとに映像情報を転送する例を示したが、それに限られず、ａ列目にて映像情報を転送した後、行ａ〜ｆごとに映像情報を転送してもよい。
【００２６】
次に、本実施の形態の画像表示装置群Ｇ１が取り得る形態について、図３を参照しながら説明する。図３は、実施の形態における画像表示装置ｕ１によって構成される画像表示装置群Ｇ１を示す図である。
【００２７】
図３の（ａ）には、５行９列に並ぶ画像表示装置ａａ〜ｅｉによって構成される画像表示装置群Ｇ１が示され、図３の（ｂ）には、６行１０列に並ぶ画像表示装置ａａ〜ｆｊによって構成される画像表示装置群Ｇ１が示され、図３の（ｃ）には、７行１１列に並ぶ画像表示装置ａａ〜ｇｋによって構成される画像表示装置群Ｇ１が示されている。
【００２８】
これらに示す画像表示装置群Ｇ１の形態は、コネクタ６０を用いて各画像表示装置ｕ１を着脱することで形成することができる。例えば、図３の（ａ）に示す画像表示装置群Ｇ１は、６行１０列の画像表示装置群Ｇ１から１５個の画像表示装置を取り除くことで形成され、図３の（ｃ）に示す画像表示装置群Ｇ１は、６行１０列の画像表示装置群Ｇ１に１７個の画像表示装置を付加することで形成される。
【００２９】
本実施の形態の画像表示システム１では、画像表示装置ｕ１の個数が変更された場合であっても、画像表示装置ｕ１が画像表示装置群Ｇ１における自身の配置位置を検出し、入力された映像情報の中から自身が表示すべ映像情報を決定し、決定した情報に基づいて映像を表示することができる構成となっている。
【００３０】
［２．画像表示装置の構成］
次に、画像表示システム１を構成する画像表示装置ｕ１について、図４および図５を参照しながら説明する。
【００３１】
図４は、画像表示装置ｅｉ、ｅｊ、ｆｉ、ｆｊのブロック構成図である。図５は、位置検出回路１０のブロック構成図である。以下では、画像表示装置ｕ１のうちｅ行目に配置されている画像表示装置ｅｉ等を例に挙げて説明する。
【００３２】
画像表示装置ｅｉは、位置検出回路１０と映像情報決定回路２０と表示回路３０とを備えている。位置検出回路１０および映像情報決定回路２０は、例えば、演算処理を行うＣＰＵ（Ｃｅｎｔｒａｌ  Ｐｒｏｃｅｓｓｉｎｇ  Ｕｎｉｔ）、各種プログラムを記憶するＲＯＭ（Ｒｅａｄ  Ｏｎｌｙ  Ｍｅｍｏｒｙ）および映像情報等のデータを一時的に記憶するＲＡＭ（Ｒａｎｄｏｍ  Ａｃｃｅｓｓ  Ｍｅｍｏｒｙ）などで構成される。
【００３３】
位置検出回路１０は、画像表示装置群Ｇ１における画像表示装置ｕ１の配置位置を検出する。例えば、画像表示装置群Ｇ１が６行１０列の画像表示装置ｕ１で構成されている場合、画像表示装置ｅｉの位置検出回路１０は、画像表示装置ｅｉが右端から２列目、下端から２行目に位置することを検出する。
【００３４】
位置検出回路１０は、配置順取得部１１と、配置順出力部１２と、個数取得部１３とを有している。位置検出回路１０は、これら配置順取得部１１、配置順出力部１２および個数取得部１３を用いて画像表示装置ｅｉの配置位置を検出する。
【００３５】
配置順取得部１１は、画像表示装置ｅｉに隣接する一方の画像表示装置ｅｊおよび他方の画像表示装置ｅｈのうち一方の画像表示装置ｅｊから、画像表示装置ｅｊの配置順を取得する。例えば、画像表示装置ｅｊの配置順は、右端から数えて「１」であるので、画像表示装置ｅｉは、隣接する画像表示装置ｅｊから配置順が「１」であることを取得する。
【００３６】
配置順出力部１２は、取得した配置順をカウントアップし、カウントアップした配置順を画像表示装置ｅｉの自身の配置順として他方の画像表示装置ｅｈに出力する。この例では、まず、取得した配置順「１」をカウントアップして配置順「２」とする。次に、カウントアップした配置順「２」を画像表示装置ｅｉの自身の配置順とする。次に、自身の配置順「２」を隣接する画像表示装置ｅｈに出力する。
【００３７】
同様にして、ｅ行目に配置された画像表示装置ｅａ〜ｅｈは、隣から配置順を取得してカウントアップし、さらにカウントアップした配置順を隣に出力する。そして最終的に、左端に位置する画像表示装置ｅａが配置順「９」を受け取り、カウントアップして自身の配置順を「１０」とする。この配置順「１０」がｅ行目における画像表示装置ｅａ〜ｅｊの個数となる。
【００３８】
画像表示装置ｅａにて定まった個数「１０」に関する情報は、右側に配置されている画像表示装置ｅｂ〜ｅｊに順に伝達される。この個数に関する情報の伝達により、画像表示装置ｅｉの個数取得部１３は、画像表示装置ｅａ〜ｅｊの配置方向における全個数を取得する。
【００３９】
なお、上記ではｅ行目に配置された画像表示装置ｅａ〜ｅｊについて説明したが、同様にして、ｉ列目についても画像表示装置ｅｉの配置順および配置方向の全個数を求めることができる。これにより、画像表示装置ｅｉは、画像表示装置群Ｇ１が６行１０列の画像表示装置ｕ１で構成され、自身が右端から数えて２番目、下端から数えて２番目に位置することを検出する。
【００４０】
映像情報決定回路２０は、位置検出回路１０にて検出した画像表示装置ｅｉの配置位置に基づき、画像表示装置ｅｉに入力された映像情報の中から画像表示装置ｅｉが表示すべき映像情報を決定する。この表示すべき映像情報を決定するため、映像情報決定回路２０は、抽出回路２１とリサイズ回路２２とを備えている。
【００４１】
抽出回路２１は、画像表示装置ｅｉの配置位置に基づき、画像表示装置ｅｉに入力された映像情報の中から一部の映像情報を抽出する。例えば、画像表示装置ｅｉは、６行１０列の画像表示装置ｕ１のうち右端から２番目および下端から２番目に位置するので、６行１０列で分割された全体映像情報のうち、右端から２番目および下端から２番目の情報を抽出する。
【００４２】
リサイズ回路２２は、抽出回路２１にて抽出した一部の映像情報と画像表示装置ｅｉの画素数に関する情報とに基づいて、一部の映像情報をスケール調整して出力する。例えば、画像表示装置群Ｇ１が、６行１０列から７行１１列になった場合は、全体の画素数が増えるので、それに応じて各画像表示装置ｅｉに表示する映像情報を決定する。本実施の形態では、スケール調整した後の映像情報が画像表示装置ｅｉにて表示すべき映像情報となる。映像情報決定回路２０は、決定した映像情報を表示回路３０に出力する。
【００４３】
表示回路３０は、映像情報決定回路２０にて決定した映像情報を表示する。表示回路３０は、複数の表示素子３２と、各表示素子３２を駆動するドライバ回路３１を有している。各表示素子３２は、行列状に間隔をあけて配置される。ドライバ回路３１は、例えば、アノードドライバおよびカソードドライバである。ドライバ回路３１は、映像情報決定回路２０から出力された映像情報に基づいて、各表示素子３２の駆動を制御する。これにより、画像表示装置ｅｉにて表示すべき映像が表示回路３０に表示される。
【００４４】
［３．位置検出回路の動作］
次に、画像表示装置ｕ１の位置検出回路１０の動作について、図４〜図６を参照しながら詳しく説明する。
【００４５】
まず、映像送信装置５０から画像表示装置群Ｇ１に、画像表示装置群Ｇ１における画像表示装置ｕ１の配置位置を検出させるための位置検出指令が送信される。各画像表示装置ｕ１は、この位置検出指令を受け付けることで、自身の配置位置の検出を開始する。以下、画像表示装置ｕ１のうち、ｅ行目の画像表示装置ｅｉ等を例に挙げて説明する。
【００４６】
図６は、位置検出回路１０の動作を示すフローチャートである。
【００４７】
はじめに、画像表示装置ｅｉは、周りの配置状況を取得するため、画像表示装置ｅｉの隣に他の画像表示装置が存在するか否かを検出する（ステップＳ１１）。具体的には、画像表示装置ｅｉに対するホットプラグ信号ｈｐ１、ｈｐ２（図５参照）の入力有無によって、周りに他の画像表示装置が存在するか否かを検出する。この検出は、他の画像表示装置ｅａ〜ｅｊについても同様に実行される。
【００４８】
例えば、画像表示装置ｅｊは、右側からのホットプラグ信号ｈｐ１の入力が無いので、自身が右端に位置していることを検出する。画像表示装置ｅｂ〜ｅｉは、左右からホットプラグ信号ｈｐ１、ｈｐ２が入力されるので、左右に他の画像表示装置が有ることを検出する。画像表示装置ｅａは、左側からのホットプラグ信号ｈｐ２の入力が無いので、自身が左端に位置していることを検出する。
【００４９】
上記の検出により、画像表示装置ｅｊは、ｅ行目における自身の配置順が右端から数えて１番目であることを取得する。そして画像表示装置ｅｊは、左側に隣接する画像表示装置ｅｉに、自身の配置順が「１」であることを知らせる信号ｓ１を出力する。
【００５０】
これにより画像表示装置ｅｉは、隣接する画像表示装置ｅｊの配置順を取得する（ステップＳ１２）。具体的には、画像表示装置ｅｉは、右側の画像表示装置ｅｊから出力された信号ｓ１を受け取り、画像表示装置ｅｊの配置順が「１」であるという情報を取得する。
【００５１】
そして、画像表示装置ｅｉは、取得した配置順「１」に１を足して、カウントアップした配置順「２」を画像表示装置ｅｉの自身の配置順とする。また、他方の画像表示装置ｅｈに、画像表示装置ｅｉの配置順が「２」であることを知らせる信号ｓ２を出力する（ステップＳ１３）。同様に、画像表示装置ｅａ〜ｅｈについても、配置順を取得してカウントアップし、さらにカウントアップした配置順を出力する。
【００５２】
前述したように左端に位置する画像表示装置ｅａは、右隣から受け取った配置順「９」をカウントアップして配置順「１０」とし、この数字を自身の配置順とする。なお、画像表示装置ｅａは、左側に他の画像表示装置が存在しないので、配置順の出力は行わない。画像表示装置ｅａは、自身の配置位置が右端から数えて１０番目であること、また、ｅ行目における画像表示装置ｅａ〜ｅｊの全個数が１０ケであることを検出する。
【００５３】
次に、各画像表示装置ｅａ〜ｅｊは、検出した画像表示装置ｅａ〜ｅｊの全個数「１０」に関する情報の伝達を行う。まず、左端に位置する画像表示装置ｅａが、右隣に位置する画像表示装置（自身よりも配置順が小さい画像表示装置）ｅｂに、画像表示装置ｅａ〜ｅｊの全個数に関する情報を送信する。そして全個数に関する情報が、画像表示装置ｅｂ、ｅｃ、ｅｄ、ｅｆ、ｅｈ、ｅｉの順に転送される。具体的には、画像表示装置ｅｉは、全個数に関する情報が含まれた信号ｓ３を、左隣に位置する画像表示装置（自身よりも配置順が大きい画像表示装置）ｅｈから受け取ることで、画像表示装置ｅａ〜ｅｊの配置方向の全個数に関する情報を取得する（ステップＳ１４）。これにより、画像表示装置ｅｉは、ｅ行目における自身の配置位置を検出する。また、画像表示装置ｅｉは、全個数に関する情報が含まれた信号ｓ４を右隣に位置する画像表示装置ｅｊに伝達する。なお、上記とは異なる時間帯に検出される個数情報との混乱を避けるため、信号ｓ３およびｓ４が送受信される際は、クロック信号ｃｋ１も同時に送受信される。
【００５４】
このようにして位置検出回路１０は、検出した配置位置に関する情報を画像表示装置ｅｉの映像情報決定回路２０に出力する。映像情報決定回路２０は、位置検出回路１０から出力された配置位置に基づき、画像表示装置ｅｉに入力された映像情報の中から自身が表示すべき映像情報を抽出し、また、抽出した映像情報をリサイズして表示回路３０に表示させる。
【００５５】
なお、上記では画像表示装置ｅｉの配置位置の検出を、映像送信装置５０から送信される位置検出指令をきっかけとして行ったが、画像表示装置ｅｉの配置位置を検出するタイミングは、これに限られない。例えば、画像表示装置ｅｉは、画像表示装置群Ｇ１の全体に電源が投入されたときに配置位置の検出を開始してもよい。また、各画像表示装置ｅｉの配置位置の検出は、所定期間ごと、例えば１秒ごとに実行されてもよい。
【００５６】
［４．効果］
本開示の画像表示装置ｕ１は、行列状に複数配置されることで画像表示装置群Ｇ１を構成する。画像表示装置ｕ１は、画像表示装置群Ｇ１における画像表示装置ｕ１の配置位置を検出する位置検出回路１０と、位置検出回路１０にて検出した配置位置に基づき、画像表示装置ｕ１に入力された映像情報の中から画像表示装置ｕ１にて表示すべき映像情報を決定する映像情報決定回路２０と、複数の表示素子３２を有し、映像情報決定回路２０にて決定した映像情報を表示する表示回路３０とを備える。
【００５７】
この構成によれば、画像表示装置ｕ１が画像表示装置群Ｇ１における自身の配置位置を検出し、入力された映像情報の中から自身が表示すべ映像情報を決定することができる。すなわち、画像表示装置群Ｇ１を構成する画像表示装置ｕ１の配置位置に応じて、画像を表示することができる。
【００５８】
また、映像情報決定回路２０は、位置検出回路１０にて検出した配置位置に基づき、画像表示装置ｕ１に入力された映像情報の中から一部の映像情報を抽出する抽出回路２１と、上記一部の映像情報と画像表示装置ｕ１の画素数に関する情報とに基づいて、上記一部の映像情報をスケール調整して出力するリサイズ回路２２とを備えていてもよい。
【００５９】
このように、入力された映像情報の中から自身が表示すべき映像情報を抽出してリサイズを行うことで、表示すべき映像情報を適切に決定することができる。これにより、画像表示装置群Ｇ１を構成する画像表示装置ｕ１の配置位置に応じて、画像を表示することができる。
【００６０】
また、位置検出回路１０は、画像表示装置ｕ１に隣接する一方の画像表示装置および他方の画像表示装置のうち一方の画像表示装置の配置順を取得する配置順取得部１１と、配置順取得部１１にて取得した配置順をカウントアップし、カウントアップした配置順を画像表示装置ｕ１の自身の配置順として他方の画像表示装置に出力する配置順出力部１２と、画像表示装置ｕ１の配置方向における全個数を取得する個数取得部１３とを備えていてもよい。
【００６１】
この構成によれば、画像表示装置群Ｇ１における画像表示装置ｕ１の配置位置を簡易に求めることができる。これにより、画像表示装置群Ｇ１を構成する画像表示装置ｕ１の配置位置に応じて、画像を表示することができる。
【００６２】
また、表示回路３０は、さらに、複数の表示素子３２駆動するドライバ回路３１を備えていてもよい。
【００６３】
この構成によれば、例えば画像表示装置群Ｇ１の画像表示装置ｕ１の個数が変更された場合であっても、入力された映像情報の中から自身が表示すべ映像情報を変更し、変更した情報に基づいて映像を表示することができる。これにより、画像表示装置群Ｇ１を構成する画像表示装置ｕ１の配置位置に応じて、簡易に画像を表示することができる。
【００６４】
また、画像表示装置ｕ１は、さらに、隣接する画像表示装置ｕ１同士を着脱可能に接続するためのコネクタ６０を備えていてもよい。
【００６５】
この構成によれば、画像表示装置群Ｇ１の画像表示装置ｕ１の個数を簡易に変更することができる。また、画像表示装置群Ｇ１を構成する画像表示装置ｕ１の配置位置に応じて、画像を表示することができる。
【００６６】
本開示の画像表示システム１は、上記画像表示装置ｕ１が行列状に複数配置されることで構成された画像表示装置群Ｇ１と、画像表示装置群Ｇ１にて表示すべき映像情報を複数配置された画像表示装置ｕ１のうちの１つの画像表示装置（例えば画像表示装置ａａ）に送信する映像送信装置５０とを備える。
【００６７】
これによれば、映像送信装置５０から１つの画像表示装置ａａに映像情報を送信することで、画像表示装置群Ｇ１に映像を表示することができるので、映像送信装置５０と画像表示装置ａａとの配線を簡略化することができる。また。画像表示装置群Ｇ１における画像表示装置ｕ１の個数が変更された場合であっても、映像送信装置５０と画像表示装置ａａとの配線を変更する手間を省くことができる。
【００６８】
また、上記１つの画像表示装置ａａは、映像送信装置５０から送信された映像情報と同じ映像情報を、隣接する他の画像表示装置（例えば画像表示装置ａｂ、ｂａ）に転送してもよい。
【００６９】
これによれば、画像表示装置群Ｇ１における画像表示装置ｕ１の個数が変更され、全体の中における画像表示装置ｕ１の配置位置が変更となった場合であっても、画像表示装置ｕ１に表示させる映像のスケールを画像表示装置ｕ１で変更することができる。これにより、例えば映像送信装置にて映像のスケールを変更するなどの手間を省くことができる。
【００７０】
［５．実施の形態の変形例］
次に、実施の形態の変形例に係る画像表示システム１Ａについて、図７〜図９を参照しながら説明する。この変形例では、毎回送信される映像情報に含まれる動画情報と、記憶回路２３に記憶されている静止画情報とを合成することで、表示すべき映像情報を決定する例ついて説明する。
【００７１】
図７は、実施の形態の変形例における画像表示装置群Ｇ１を示す模式図である。
【００７２】
図７に示すように、画像表示装置群Ｇ１に表示される映像には、動画および静止画が含まれる。例えば、静止画は、背景映像として画像表示装置群Ｇ１の全体に表示され、動画は、画像表示装置群Ｇ１のうちの一部の静止画に上書きされて表示される。図７には、画像表示装置ｃｇ、ｃｈに動画が表示され、画像表示装置ｂｆ〜ｂｊ、ｃｆ、ｃｊ、ｄｆ〜ｄｊに動画および静止画の両方が表示され、その他の画像表示装置に静止画のみが表示されている例が示されている。
【００７３】
図８は、変形例における映像情報決定回路２０のブロック構成図である。
【００７４】
図８に示すように変形例の映像情報決定回路２０は、記憶回路２３と、合成回路２４とを備えている。記憶回路２３は、映像情報に含まれる動画情報および静止画情報を記憶する回路である。合成回路２４は、記憶回路２３に記憶された静止画情報と画像表示装置群Ｇ１に新たに入力された映像情報に含まれる動画情報とを合成する回路である。
【００７５】
映像情報は、前述したように、映像送信装置５０および隣接する画像表示装置を介して画像表示装置ｕ１に入力される。画像表示装置ｕ１に入力された映像情報（動画情報および静止画情報）は、記憶回路２３に一時的に保存される。
【００７６】
図９は、変形例の画像表示装置ｕ１に入力される映像情報を示す模式図である。ここでは、画像表示装置ｕ１のうち、動画および静止画の両方を表示する画像表示装置ｂｆを例に挙げて説明する。
【００７７】
図９に示すように画像表示装置ｂｆには、時間Ｔ１ごとに、ｎ個のフレームの映像情報が入力される。例えば、時間Ｔ１は１秒であり、ｎ個のフレームは６０個のフレームである。図９には、第１フレームにて動画情報および静止画情報の両方が入力され、第２フレームから第ｎフレームでは、動画情報のみが入力される例が示されている。
【００７８】
画像表示装置ｂｆは、入力された第１フレームの映像情報（動画情報および静止画情報）を記憶回路２３に保存するとともに、表示回路３０に表示する。一方、第２フレームから第ｎフレームでは、画像表示装置ｂｆには動画情報のみが入力される。そこで、合成回路２４を用いて動画情報と静止画情報との合成を行う。具体的には、合成回路２４が、記憶回路２３に記憶された第１フレームの静止画情報を呼び出し、呼び出した静止画情報と、新たに入力された第２フレームの動画情報とを合成して出力する。
【００７９】
なお、合成回路２４は、抽出回路２１とリサイズ回路２２との間に設けられていてもよいし、リサイズ回路２２の後段に設けられていてもよい。合成回路２４が抽出回路２１とリサイズ回路２２との間に設けられている場合は、合成回路２４は、映像情報に含まれる動画情報と記憶回路２３に記憶されたリサイズ前の静止画情報とを合成して、リサイズ回路２２に出力すればよい。合成回路２４がリサイズ回路２２の後段に設けられている場合は、合成回路２４は、リサイズ後の動画情報と記憶回路２３に記憶されたリサイズ後の静止画情報とを合成し、合成後の映像情報を画像表示装置ｂｆに表示すべき映像情報として出力すればよい。
【００８０】
本変形例の画像表示装置ｕ１においても、画像表示装置ｕ１が画像表示装置群Ｇ１における自身の配置位置を検出し、入力された映像情報の中から自身が表示すべ映像情報を決定することができる。すなわち、画像表示装置群Ｇ１を構成する画像表示装置ｕ１の配置位置に応じて、画像を表示することができる。
【００８１】
また、画像表示装置ｕ１の映像情報決定回路２０は、映像情報に含まれる動画情報および静止画情報を記憶する記憶回路２３と、記憶回路２３に記憶された静止画情報および画像表示装置ｕ１に新たに入力された映像情報に含まれる動画情報を合成する合成回路２４とを備えていてもよい。
【００８２】
これによれば、画像表示装置ｕ１間で送受信される映像情報のデータ量を減らすことができる。
【００８３】
（他の実施の形態）
上記実施の形態では、画像表示装置ｕ１の配置順を数える際に、右端および下端を基準として数えたが、これに限られない。例えば、画像表示装置ｕ１の配置順を数える際に、左端および上端を基準として数えてもよい。
【００８４】
また、上記実施の形態では、映像送信装置５０のケーブル４０を画像表示装置ａａに接続し、映像送信装置５０から送信する映像情報の送信先を画像表示装置ａａとしているが、それに限られない。例えば、映像送信装置５０のケーブル４０を、画像表示装置ａｊ、ｆａまたはｆｊのいずれかに接続し、映像情報の送信先を画像表示装置ａｊ、ｆａまたはｆｊのいずれかにしてもよい。
【００８５】
以上のように、本開示における技術の例示として、実施の形態を説明した。そのために、添付図面および詳細な説明を提供した。
【００８６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８７】
また、上述の実施の形態は、本開示における技術を例示するためのものであるから、特許請求の範囲またはその均等の範囲において種々の変更、置き換え、付加、省略などを行うことができる。
【産業上の利用可能性】
【００８８】
本開示は、例えば、電子看板用ディスプレイなどの画像表示装置等に適用可能である。
【符号の説明】
【００８９】
１    画像表示システム
１０  位置検出回路
１１  配置順取得部
１２  配置順出力部
１３  個数取得部
２０  映像情報決定回路
２１  抽出回路
２２  リサイズ回路
２３  記憶回路
２４  合成回路
３０  表示回路
３１  ドライバ回路
３２  表示素子
４０  ケーブル
５０  映像送信装置
６０  コネクタ
ａａ〜ａｊ、ｂａ〜ｂｊ、ｃａ〜ｃｊ、ｄａ〜ｄｊ、ｅａ〜ｅｊ、ｆａ〜ｆｊ、ｕ１  画像表示装置
ｃｋ１  クロック信号
Ｇ１  画像表示装置群
ｈｐ１、ｈｐ２  ホットプラグ信号
ｓ１、ｓ２、ｓ３、ｓ４  信号
【図１】
2020034742.tif 000003
【図２】
2020034742.tif 000004
【図３】
2020034742.tif 000005
【図４】
2020034742.tif 000006
【図５】
2020034742.tif 000007
【図６】
2020034742.tif 000008
【図７】
2020034742.tif 000009
【図８】
2020034742.tif 000010
【図９】
2020034742.tif 000011